【手続補正書】
【提出日】平成26年4月4日(2014.4.4)
【手続補正１】
【補正対象書類名】特許請求の範囲
【補正対象項目名】全文
【補正方法】変更
【補正の内容】
【特許請求の範囲】
【請求項１】
履歴記憶手段に記憶される、取引対象に対するユーザの行為の履歴に基づいて、ユーザの興味対象を特定する特定手段と、
取引対象に関する取引対象情報への参照を保持する参照リストに登録されている取引対象の中から、前記特定手段により特定された前記興味対象に関連する取引対象を選択し、前記参照リストに前記興味対象が登録されているとしても該興味対象を選択しない選択手段と、
前記選択手段により選択された取引対象を示す情報の表示態様が、前記選択手段により選択されていない取引対象を示す情報の表示態様よりも視認しやすい表示態様となるように、前記参照リストを表示させる制御手段と、
を備えることを特徴とする情報処理装置。
【請求項２】
請求項１に記載の情報処理装置において、
前記特定手段は、ユーザによる前記取引対象情報の閲覧の前記履歴に基づいて、現時点から予め定められた第１時間前までの間に前記取引対象情報が閲覧された取引対象を、前記興味対象として特定することを特徴とする情報処理装置。
【請求項３】
請求項２に記載の情報処理装置において、
前記特定手段は、前記取引対象情報の表示時間の長さを含む前記履歴に基づいて、前記取引対象情報の表示時間の長さが予め定められた第２時間未満である取引対象を、前記興味対象から除くことを特徴とする情報処理装置。
【請求項４】
請求項１乃至３の何れか１項に記載の情報処理装置において、
前記制御手段は、前記選択手段により選択された取引対象を示す情報の表示順位が、前記選択手段により選択されていない取引対象を示す情報の表示順位よりも上位となる表示態様で、前記参照リストを表示させることを特徴とする情報処理装置。
【請求項５】
請求項４に記載の情報処理装置において、
前記制御手段は、前記参照リストに登録された取引対象を識別する情報と、該取引対象の参照リストへの登録時期と、を対応付けて記憶する参照リスト情報記憶手段に記憶された前記登録時期が早い取引対象の順に、前記選択手段により選択された取引対象を示す情報を表示させることを特徴とする情報処理装置。
【請求項６】
請求項１乃至５の何れか１項に記載の情報処理装置において、
前記特定手段は、ユーザが興味を持つ取引対象を前記興味対象として特定し、
前記選択手段は、前記特定手段により特定された取引対象に関連する取引対象のうち、前記特定手段により特定された取引対象よりもユーザにとって取引上有利な取引対象を選択することを特徴とする情報処理装置。
【請求項７】
請求項１に記載の情報処理装置において、
前記特定手段は、取引対象の検索に用いられた検索条件のユーザによる指定の前記履歴に基づいて、現時点から予め定められた第３時間前までの間に指定された前記検索条件を、前記興味対象として特定し、
前記選択手段は、前記特定手段により特定された前記検索条件で検索可能な取引対象を選択することを特徴とする情報処理装置。
【請求項８】
請求項１乃至６の何れか１項に記載の情報処理装置において、
前記特定手段は、ユーザによる前記取引対象情報の閲覧の前記履歴と、取引対象の検索に用いられた検索条件のユーザによる指定の前記履歴とに基づいて、前記取引対象情報が閲覧された取引対象のうち、該取引対象情報の閲覧後の検索時に指定された検索条件と関連する取引対象を、前記興味対象として特定することを特徴とする情報処理装置。
【請求項９】
情報処理装置により実行される情報処理方法であって、
履歴記憶手段に記憶される、取引対象に対するユーザの行為の履歴に基づいて、ユーザの興味対象を特定する特定ステップと、
取引対象に関する取引対象情報への参照を保持する参照リストに登録されている取引対象の中から、前記特定ステップにおいて特定された前記興味対象に関連する取引対象を選択し、前記参照リストに前記興味対象が登録されているとしても該興味対象を選択しない選択ステップと、
前記選択ステップにおいて選択された取引対象を示す情報の表示態様が、前記選択ステップにおいて選択されていない取引対象を示す情報の表示態様よりも視認しやすい表示態様となるように、前記参照リストを表示させる制御ステップと、
を含むことを特徴とする情報処理方法。
【請求項１０】
情報処理装置に含まれるコンピュータを、
履歴記憶手段に記憶される、取引対象に対するユーザの行為の履歴に基づいて、ユーザの興味対象を特定する特定手段、
取引対象に関する取引対象情報への参照を保持する参照リストに登録されている取引対象の中から、前記特定手段により特定された前記興味対象に関連する取引対象を選択し、前記参照リストに前記興味対象が登録されているとしても該興味対象を選択しない選択手段、及び、
前記選択手段により選択された取引対象を示す情報の表示態様が、前記選択手段により選択されていない取引対象を示す情報の表示態様よりも視認しやすい表示態様となるように、前記参照リストを表示させる制御手段、
として機能させることを特徴とする情報処理プログラム。
【請求項１１】
情報処理装置に含まれるコンピュータを、
履歴記憶手段に記憶される、取引対象に対するユーザの行為の履歴に基づいて、ユーザの興味対象を特定する特定手段、
取引対象に関する取引対象情報への参照を保持する参照リストに登録されている取引対象の中から、前記特定手段により特定された前記興味対象に関連する取引対象を選択し、前記参照リストに前記興味対象が登録されているとしても該興味対象を選択しない選択手段、及び、
前記選択手段により選択された取引対象を示す情報の表示態様が、前記選択手段により選択されていない取引対象を示す情報の表示態様よりも視認しやすい表示態様となるように、前記参照リストを表示させる制御手段、
として機能させる情報処理プログラムがコンピュータ読み取り可能に記憶されていることを特徴とする記録媒体。
【手続補正２】
【補正対象書類名】明細書
【補正対象項目名】０００８
【補正方法】変更
【補正の内容】
【０００８】
上記課題を解決するために、請求項１に記載の発明は、履歴記憶手段に記憶される、取引対象に対するユーザの行為の履歴に基づいて、ユーザの興味対象を特定する特定手段と、取引対象に関する取引対象情報への参照を保持する参照リストに登録されている取引対象の中から、前記特定手段により特定された前記興味対象に関連する取引対象を選択し、前記参照リストに前記興味対象が登録されているとしても該興味対象を選択しない選択手段と、前記選択手段により選択された取引対象を示す情報の表示態様が、前記選択手段により選択されていない取引対象を示す情報の表示態様よりも視認しやすい表示態様となるように、前記参照リストを表示させる制御手段と、を備えることを特徴とする。
【手続補正３】
【補正対象書類名】明細書
【補正対象項目名】００２２
【補正方法】変更
【補正の内容】
【００２２】
請求項８に記載の発明は、請求項１乃至６の何れか１項に記載の情報処理装置において、前記特定手段は、ユーザによる前記取引対象情報の閲覧の前記履歴と、取引対象の検索に用いられた検索条件のユーザによる指定の前記履歴とに基づいて、前記取引対象情報が閲覧された取引対象のうち、該取引対象情報の閲覧後の検索時に指定された検索条件と関連する取引対象を、前記興味対象として特定することを特徴とする。
請求項９に記載の発明は、情報処理装置により実行される情報処理方法であって、履歴記憶手段に記憶される、取引対象に対するユーザの行為の履歴に基づいて、ユーザの興味対象を特定する特定ステップと、取引対象に関する取引対象情報への参照を保持する参照リストに登録されている取引対象の中から、前記特定ステップにおいて特定された前記興味対象に関連する取引対象を選択し、前記参照リストに前記興味対象が登録されているとしても該興味対象を選択しない選択ステップと、前記選択ステップにおいて選択された取引対象を示す情報の表示態様が、前記選択ステップにおいて選択されていない取引対象を示す情報の表示態様よりも視認しやすい表示態様となるように、前記参照リストを表示させる制御ステップと、を含むことを特徴とする。
【手続補正４】
【補正対象書類名】明細書
【補正対象項目名】００２３
【補正方法】変更
【補正の内容】
【００２３】
請求項１０に記載の発明は、情報処理装置に含まれるコンピュータを、履歴記憶手段に記憶される、取引対象に対するユーザの行為の履歴に基づいて、ユーザの興味対象を特定する特定手段、取引対象に関する取引対象情報への参照を保持する参照リストに登録されている取引対象の中から、前記特定手段により特定された前記興味対象に関連する取引対象を選択し、前記参照リストに前記興味対象が登録されているとしても該興味対象を選択しない選択手段、及び、前記選択手段により選択された取引対象を示す情報の表示態様が、前記選択手段により選択されていない取引対象を示す情報の表示態様よりも視認しやすい表示態様となるように、前記参照リストを表示させる制御手段、として機能させることを特徴とする。
【手続補正５】
【補正対象書類名】明細書
【補正対象項目名】００２４
【補正方法】変更
【補正の内容】
【００２４】
請求項１１に記載の発明は、情報処理装置に含まれるコンピュータを、履歴記憶手段に記憶される、取引対象に対するユーザの行為の履歴に基づいて、ユーザの興味対象を特定する特定手段、取引対象に関する取引対象情報への参照を保持する参照リストに登録されている取引対象の中から、前記特定手段により特定された前記興味対象に関連する取引対象を選択し、前記参照リストに前記興味対象が登録されているとしても該興味対象を選択しない選択手段、及び、前記選択手段により選択された取引対象を示す情報の表示態様が、前記選択手段により選択されていない取引対象を示す情報の表示態様よりも視認しやすい表示態様となるように、前記参照リストを表示させる制御手段、として機能させる情報処理プログラムがコンピュータ読み取り可能に記憶されていることを特徴とする。